(57)【要約】【課題】無機質で光を通さない外観を有し、強い光が当たった時には光を透過することのできる透光コンクリート壁材を提供する。【解決手段】透光コンクリート壁材１は、複数の光透過体２を無機マトリックス材３に植設し、各光透過体２の一側の面２ａと他側の面２ｂとが壁材１の壁面１ａ、１ｂに露出している。【選択図】図１
0003122698.tif 000002
【実用新案登録請求の範囲】
【請求項１】
複数の光透過体を無機マトリックス材に植設し、各光透過体の一側の面と他側の面とが壁材の壁面に露出していることを特徴とする透光コンクリート壁材。
【請求項２】
前記各光透過体は、断面が三角形、四角形、その他の多角形、円形、楕円形、長円形とされるロッド状とされ、壁材の一側の壁面から他側の壁面へと延在していることを特徴とする請求項１の透光コンクリート壁材。
【請求項３】
前記光透過体は、壁材において縦、横方向に所定の間隔にて配列するか、不規則に配列するか、又は、特定の模様に配列することを特徴とする請求項１又は２の透光コンクリート壁材。
【請求項４】
前記光透過体は、ガラス、又は、透光性の合成樹脂であることを特徴とする請求項１〜３のいずれかの項に記載の透光コンクリート壁材。
【請求項５】
前記透光性の合成樹脂は、アクリル、ポリカーボネート又は不飽和ポリエステルであることを特徴とする請求項４の透光コンクリート壁材。
【請求項６】
各前記光透過体の壁面に露出した面積の総和が、壁面積に対して５％〜５０％であることを特徴とする請求項１〜５のいずれかの項に記載の透光コンクリート壁材。
【請求項７】
前記無機マトリックス材は、無機水硬性材料に骨材を混合したモルタルか、又は、無機水硬性材料に骨材を混合したコンクリートであるか、又は、繊維補強コンクリートであることを特徴とする請求項１〜６のいずれかの項に記載の透光コンクリート壁材。
【請求項８】
前記骨材は、概略直径が５ｍｍ以下であることを特徴とする請求項７の透光コンクリート壁材。
【請求項９】
前記骨材は、概略直径が０．１ｍｍ以上、３ｍｍ以下であることを特徴とする請求項８の透光コンクリート壁材。
【考案の詳細な説明】
【技術分野】
【０００１】
本考案は、一般に、無機水硬性材料で作製された内外装用壁材に関するものであり、特には、内外装用壁材として使用される透光コンクリート壁材に関するものである。
【背景技術】
【０００２】
従来、普通ポルトランドセメントに代表される無機水硬性材料を使用した内外装用壁材は遮光性が有ること、つまり、光を通さないことが当たり前であり、用途としては、光を通さない場所に使用されている。
【０００３】
従って、光を通す必要がある場合には、開口部を設け、窓を付けるか、或いは、ガラスブロックを打ち込むこととなる。
【０００４】
又、近年、例えば特許文献１、２、３に記載するように、土木及び建築分野にて、繊維補強コンクリートが壁材として使用されている。繊維補強コンクリートとしては、ガラス繊維補強コンクリート、合成繊維補強コンクリート、炭素繊維補強コンクリート、スチール繊維補強コンクリート、などがある。
【特許文献１】特開平５−２２０７１６号公報
【特許文献２】特開平５−７８１５４号公報
【特許文献３】特開２００２−６８８１０号公報
【考案の開示】
【考案が解決しようとする課題】
【０００５】
しかしながら、このような繊維補強コンクリート製の壁材においても、上述のように、用途としては、光を通さない場所に使用されており、光を通す必要がある場合には、開口部を設けて窓を付けるか、或いは、開口部にガラスブロックを打ち込むことが行われている。
【０００６】
このような開口部に設置する窓やガラスブロックなどの開口部材は、外光が無い場合においても開口部材としての存在を容易に判明するものである。
【０００７】
そこで、本考案の目的は、無機質で光を通さない外観を有し、強い光が当たった時には光を透過することのできる透光コンクリート壁材を提供することである。
【課題を解決するための手段】
【０００８】
上記目的は本考案に係る透光コンクリート壁材にて達成される。要約すれば、本考案は、複数の光透過体を無機マトリックス材に植設し、各光透過体の一側の面と他側の面とが壁材の壁面に露出していることを特徴とする透光コンクリート壁材である。
【０００９】
本考案の一実施態様によると、前記各光透過体は、断面が三角形、四角形、その他の多角形、円形、楕円形、長円形とされるロッド状とされ、壁材の一側の壁面から他側の壁面へと延在している。
【００１０】
本考案の他の実施態様によると、前記光透過体は、壁材において縦、横方向に所定の間隔にて配列するか、不規則に配列するか、又は、特定の模様に配列する。
【００１１】
本考案の他の実施態様によると、前記光透過体は、ガラス、又は、透光性の合成樹脂である。また、他の実施態様によると、前記透光性の合成樹脂は、アクリル、ポリカーボネート又は不飽和ポリエステルである。
【００１２】
本考案の他の実施態様によると、各前記光透過体の壁面に露出した面積の総和が、壁面積に対して５％〜５０％である。
【００１３】
本考案の他の実施態様によると、前記無機マトリックス材は、無機水硬性材料に骨材を混合したモルタルか、又は、無機水硬性材料に骨材を混合したコンクリートであるか、又は、繊維補強コンクリートである。
【００１４】
本考案の他の実施態様によると、前記骨材は、概略直径が５ｍｍ以下である。又、他の実施態様によると、前記骨材は、概略直径が０．１ｍｍ以上、３ｍｍ以下である。
【考案の効果】
【００１５】
本考案の透光コンクリート壁材は、無機質で光を通さない外観を有し、強い光が当たった時には光を透過させる。
【００１６】
従って、例えば半地下に位置する外壁に使用することにより、目隠しとしての役割を果たすとともに、昼光を取り入れることが可能となる。
【００１７】
また、室内の間仕切り壁に用いた場合にも、隣室に明かりがついた場合のみ透光感を与えることができる。
【００１８】
更には、従来、全く光が当たらない内装の間仕切り壁においても光が透過することとなる。
【考案を実施するための最良の形態】
【００１９】
以下、本考案に係る透光コンクリート壁材を図面に則して更に詳しく説明する。
【００２０】
実施例１
図１に、本考案に係る透光コンクリート壁材１の一実施例を示す。透光コンクリート壁材１は、これに限定されるものではないが、本実施例では、所定の厚さＴ０を有し、横方向長さＷ０、縦方向長さＬ０とされる外形が矩形状の壁材とされる。本実施例にて、透光コンクリート壁材を説明するに際して、説明の便宜上、図１にて、厚さＴ０方向にて互いに対向した側面を正面１ａ及び裏面１ｂと呼び、水平方向を横方向といい、垂直方向を縦方向という。
【００２１】
本実施例によると、本考案の透光コンクリート壁材１は、複数の光透過体２と、この光透過体２が植設される無機マトリックス材３と、を備えている。各光透過体２は、壁材１の一側の面（正面）１ａから他側の面（裏面）１ｂへと延在しており、壁材１の一側の光を他側へと伝達する。
【００２２】
更に説明すると、無機マトリックス材３としては、無機水硬性材料であるポルトランドセメントが使用され、このセメントに骨材として砂等を混合したモルタル、或いは、骨材として砂利等をも混合したコンクリートを使用することができる。又、コンクリートとしては、繊維補強コンクリートをも好適に使用し得る。
【００２３】
繊維補強コンクリートについて説明すると、繊維補強コンクリートとしては、ガラス繊維補強コンクリート、合成繊維（例えば、ビニロン繊維）補強コンクリート、炭素繊維補強コンクリート、スチール繊維補強コンクリート、などが使用される。
【００２４】
近年、繊維補強コンクリートとしてガラス繊維補強コンクリートが使用されることが多い。そこで、ガラス繊維補強コンクリートについて更に説明する。
【００２５】
ガラス繊維補強コンクリートは、耐アルカリ性ガラス繊維のチョップドストランドを、砂等の細骨材を含むモルタルに補強材として含ませたものが使用される。勿論、砂利等の粗骨材を含ませても良い。
【００２６】
ガラス繊維のチョップドストランドは、６〜５０ｍｍの長さの耐アルカリ性ガラス繊維とされ、このチョップドストランドを、ガラス繊維補強コンクリート１ｍ3に対して５〜４０ｋｇ含ませたものとし得る。
【００２７】
上記光透過体２は、本実施例によると、図１に示すように、断面が長方形とされるロッド状の形状とされ、光透過体２の一端面２ａは、壁材１の正面１ａに位置し、他端面１ｂは、壁材１の裏面１ｂに位置している。つまり、ロッド材は、壁材１の一側の壁面１ａから他側の壁面１ｂへと延在している。
【００２８】
勿論、光透過体２の断面は、長方形以外の正方形などの四角形とすることもでき、更には、三角形、その他の多角形とすることができる。更には、円形、楕円形、長円形（トラック形）など、種々の形状とし得る。
【００２９】
また、本実施例では、光透過体２は、図１に示すように、壁材１にて、縦、横方向に所定の間隔Ｐ１、Ｐ２にて配列されているが、不規則に配列することも可能であり、特定の模様となるようにデザインされていても良い。
【００３０】
光透過体２としては、ガラス、更には、アクリル、ポリカーボネート、不飽和ポリエステルなどの透光性の合成樹脂などとし得る。これら材料にて作製した場合には、特に、光透過体を小径とした場合には、背面に光が当たらない場合には、正面では単なる骨材のように見え、背面に光が当たった段階で初めて光が透過することが判る。
【００３１】
従って、このような壁材を望む場合には、光透過体２の壁面露出部における概略直径は、細骨材と同等の直径、即ち、例えば５ｍｍ以下、望ましくは０．１ｍｍ以上、３ｍｍ以下である。０．１ｍｍ未満では壁材の光透過性がなくなり、５ｍｍを超えると、背面に強い光が当たらない場合においても正面に光が透過してしまう虞が生じる。また、光透過体２の壁面露出面積は、各光透過体２の壁面に露出した面積ｓの総和ｓＮ（Ｎは光透過体の数）が、壁面積Ｓ０に対して５％〜５０％で程度とされる。
【００３２】
又、光透過体２は、無機マトリックス材３に植設する手間をできるだけ省き、容易にモルタル或いはコンクリートを打設できるのが好ましい。そのため、図２に示すように、複数の光透過体２を連結材２１にて互いに平行に整列して組み立てた、所謂、魚の骨状に構成した光透過体組立体２０を使用するのが好適である。又、この光透過組立体２０は、詳しくは後述するように、互いに横方向にも、連結材２２にて接続して、組み合わせるのが好ましい。連結材２１、２２は、光透過体２と同じ材料にて作製しても良く、異なる材料にて作製することもできる。
【００３３】
次に、図３を参照して、本考案の透光コンクリート壁材１の製造方法について説明する。
【００３４】
本考案の壁材１を製造するに際して、先ず、底板１０１の上に周囲型枠１０２を一体に取り付けた型枠１００を準備する。通常、型枠１００の形状は、矩形状とされるが、これに限定されるものではない。
【００３５】
型枠１００の内側に、所定の形状寸法とされる光透過体２を所定の位置に位置決め配置する。本実施例では、図２に示す光透過体組立体２０を使用した。
【００３６】
本実施例で使用した光透過体組立体２０の具体的な寸法、形状の一例を挙げれば次の通りである。
【００３７】
図２（ａ）、（ｂ）にて、光透過体組立体２０は、縦（Ｌ１）２〜３ｍｍ、横（Ｗ１）３ｍｍ、長さ（Ｈ１）５０ｍｍ（壁材１の厚さＴ０に相当する）の断面矩形状のロッドとされるアクリル樹脂製の光透過体２を、互いに１０ｍｍ程度の間隔（Ｐ１）にて、連結材２１にて連結して作製した。光透過体組立体２０の横方向長さＷ２は３００ｍｍ（壁材１の横方向長さＷ０に相当する）とした。
【００３８】
連結材２１は、本実施例では、光透過体２と同じアクリル樹脂にて、光透過体２と一体に成形した。連結材２１の幅（Ｗ２）は３ｍｍとした。
【００３９】
本実施例では、上記構成の光透過体組立体２０を、型枠１００の内側に、縦方向に互いに所定の間隔（Ｐ２）にて配置した。本実施例では、各光透過体組立体２０の間隔（Ｐ２）は１０ｍｍ程度とし、約２０〜３０個の光透過組立体２０を型枠１００内に設置した。壁材１の縦方向長さＬ０は３００ｍｍとした。また、各列の光透過体組立体２０の各光透過体２は、隣の光透過体２の中央部に位置するように構成した。
【００４０】
尚、本実施例では、各光透過体組立体２０は、縦方向連結材２２にて連結し、壁材１の作製時にその配列が乱れるのを防止した。
【００４１】
次に、型枠１００内に、モルタル或いはコンクリートなどの無機マトリックス材３を打設する。本実施例では、無機マトリックス材３としてガラス繊維補強コンクリートを使用した。
【００４２】
本実施例にて使用したガラス繊維補強コンクリート３は、耐アルカリ性ガラス繊維のチョップドストランドと骨材を含み、必要に応じて、混和材、混和剤等を含ませることができる。
【００４３】
本実施例にて、ガラス繊維チョップドストランドは、２５ｍｍの長さの耐アルカリ性ガラス繊維を、ガラス繊維補強コンクリート１ｍ3に対して１０ｋｇ含ませた。
【００４４】
骨材としては、本実施例では、直径が概略０．１ｍｍ〜１．２ｍｍ程度とされる砂等の細骨材を使用した。細骨材の添加量は、ガラス繊維補強コンクリート１ｍ3に対して、１５００ｋｇ程度とした。
【００４５】
このようにして得られた壁材１を、その後、正面１ａ及び裏面１ｂを研磨し、各光透過体２の両面２ａ、２ｂを、それぞれ壁材１の両面１ａ、１ｂに露出させた。
【００４６】
このようにして作製した透光コンクリート壁材１を半地下部の間仕切り、内装間仕切り、浴室、シャワー室などに使用したが、遮光性を有すると共に、裏面側に強い光を与えた場合には裏面側の光を正面側に透過させ、壁材の正面側をほのかに光らせることができ、所期の目的を達成することができた。
【００４７】
つまり、本考案の透光コンクリート壁材１は、無機質で光を通さない外観を有し、強い光が当たった時には光を透過させることができた。従って、例えば半地下に位置する外壁に使用することにより、目隠しとしての役割を果たすとともに、昼光を取り入れることが可能である。また、室内の間仕切り壁に用いた場合にも、隣室に明かりがついた場合のみ透光感を与えることができる。
【００４８】
更には、従来、全く光が当たらない内装の間仕切り壁に使用した場合においても、光が透過することができた。
【図面の簡単な説明】
【００４９】
【図１】本考案に係る透光コンクリート壁材の一実施例を説明する一部破断斜視図である。
【図２】光透過体組立体の一実施例を説明する図であり、図２（ａ）は斜視図で、図２（ｂ）は正面図である。
【図３】本考案に係る透光コンクリート壁材の製造方法を説明する図である。
【符号の説明】
【００５０】
１              透光コンクリート壁材
２              光透過体
３              無機マトリックス材
２０            光透過体組立体
２１、２２      連結材
１００          型枠
【図１】
0003122698.tif 000003
【図２】
0003122698.tif 000004
【図３】
0003122698.tif 000005